(57)【要約】【課題】横ステー１３に係止される足場板の係止フック１９をできるだけ支柱側に寄せることができるようにした足場等の部材連結装置を提供する。【解決手段】ステー１３の両端部に側面視略コ字状の係合孔１７付き接続シュー１５を固着しておいて、横ステー１３の接続シュー１５を支柱本体１１のフランジ１２に跨嵌し、フランジ１２及び接続シュー１５の係合孔１６，１７に楔８を挿入することにより、支柱１０と横ステー１３とを連結する足場等の部材連結装置である。楔８は、係合孔１６，１７に挿入した状態で支柱本体１１に近接した前側端面６と、これと反対側に位置する後側端面７を有し、接続シュー１５内に没入する楔部分８ａの後側端面部７ａは、上部側が下部側よりも前後幅の広い勾配面部Ａを形成し、接続シュー１５の上面から突出する楔部分８ｂの後側端面部７ｂは、できるだけ支柱本体１１に接近した平行面部Ｂを形成する。【選択図】図１
2008169579.tif 000002
【特許請求の範囲】
【請求項１】
足場等の支柱の支柱本体に係合孔付きフランジを固着し、横ステーの両端部に側面視略コ字状の係合孔付き接続シューを固着しておいて、横ステーの接続シューを支柱本体のフランジに跨嵌し、フランジの係合孔と接続シューの係合孔とにわたって楔を挿入することにより、支柱と横ステーとを連結するようにした足場等の部材連結装置であって、
楔は、フランジ及び接続シューの係合孔に挿入した使用状態で支柱本体に近接して支柱本体の長さ方向と平行に延びる前側端面と、これと反対側に位置する後側端面とを有し、接続シュー内に没入する楔部分の後側端面部は、上部側が下部側よりも前後幅の広い勾配面部を形成し、接続シューの上面から突出する楔部分の後側端面部は、この後側端面部を勾配面部に対し段落状に削り取ることによって、できるだけ支柱本体に接近した平行面部を形成してなることを特徴とする足場等の部材連結装置。
【請求項２】
楔の上端面は、その前端から後端にかけて下り傾斜となる傾斜面に形成してなることを特徴とする請求項１に記載の足場等の部材連結装置。
【請求項３】
接続シューは、先端部から基端部にわたって円管状横ステーの外径とほぼ同じ外径となるように形成すると共に、この接続シューの基端部には円管状横ステーの端部に内嵌可能な径小軸部を形成し、この径小軸部と接続シュー本体部外周面との間に、横ステーの端面の内周側端部に係止する係止段部と、接続シューを横ステーに溶接するための溶接開先用の斜面部又は円弧面部とを形成してなることを特徴とする請求項１又は２に記載の足場等の部材連結装置。
【発明の詳細な説明】
【技術分野】
【０００１】
本発明は、建築現場で仮設される枠組足場等において、鉛直に立設される支柱に対し水平な横ステーを連結するのに使用される足場等の部材連結装置に関する。
【背景技術】
【０００２】
従来の枠組足場等の部材連結装置には、特許文献１等に記載されたものがあり、これを図４に示す。足場等の支柱１０は円管状の支柱本体１１からなるもので、この支柱本体１１にはフランジ１２が固着されている。支柱１０に連結される横ステー１３の両端には、フランジ１２を嵌入させる水平開口部１４を有する側面視略コ字状の接続シュー１５が固着され、この接続シュー１５がフランジ１２に跨嵌すると共に、フランジ１２及び接続シュー１５に夫々設けられた係合孔１６，１７にわたって楔１８を挿入することによって、支柱１０に横ステー１３を連結するようになっている。また、楔１８は、上部側の前後幅が下部側より広い楔形で、且つ左右幅が係合孔１６，１７の左右幅よりも僅かに小さい横断面矩形の金属棒片からなり、そして上端部に後方へ突出する抜け止め突片１８ａ、下端部の左側面に円形の抜け止め突起１８ｂ、後縁下部に弧状の凹陥部１８ｃが夫々形成されている。
【特許文献１】特許第２５４８８９０号
【発明の開示】
【発明が解決しようとする課題】
【０００３】
枠組足場では、両側の支柱１０，１０間に位置する横ステー１３と、これと対向する側に位置する横ステー１３とにわたって足場板が掛け渡され、この足場板の両端部に突設された板状の係止フック１９（図１(c) に示すように、側面視フック状のもの）が、図４の仮想線で示すように、横ステー１３の端部側で楔１８に隣接するように係止される。この場合、従来の楔１８は、上記のように、上部側の前後幅が下部側より広い楔形に形成されると共に、上端部に後方へ突出する抜け止め突片１８ａが形成されていることから、足場板の係止フック１９が図４の仮想線図示のような位置に係止されると、係止フック１９と支柱１０との間隔、即ち足場板の一方側の桁側端部と支柱１１側との間隔が広くなって、各種施工用部品や工具類等が落下する危険性がある。尚、同足場板の反対側の桁側端部と支柱１１側との間には幅木を設けるため問題はない。
【０００４】
本発明は、横ステー１３に係止される足場板の係止フック１９をできるだけ支柱１１側に寄せることができるようにした足場等の部材連結装置を提供することを目的とする。
【課題を解決するための手段】
【０００５】
上記課題を解決するための手段を、後述する実施形態の参照符号を付して説明すると、請求項１に係る発明は、足場等の支柱１０の支柱本体１１に係合孔１６付きフランジ１２を固着し、横ステー１３の両端部に側面視略コ字状の係合孔１７付き接続シュー１５を固着しておいて、横ステー１３の接続シュー１５を支柱本体１１のフランジ１２に跨嵌し、フランジ１２の係合孔１６と接続シュー１５の係合孔１７とにわたって楔８を挿入することにより、支柱１０と横ステー１３とを連結するようにした足場等の部材連結装置であって、
楔８は、フランジ１２及び接続シュー１５の係合孔１６，１７に挿入した使用状態で支柱本体１１に近接して支柱本体１１の長さ方向と平行に延びる前側端面６と、これと反対側に位置する後側端面７とを有し、接続シュー１５内に没入する楔部分８ａの後側端面部７ａは、上部側が下部側よりも前後幅の広い勾配面部Ａを形成し、接続シュー１５の上面から突出する楔部分８ｂの後側端面部７ｂは、この後側端面部７ｂを勾配面部Ａに対し段落状に削り取ることによって、できるだけ支柱本体１１に接近した平行面部Ｂを形成してなることを特徴とする。
【０００６】
請求項２は、請求項１に記載の足場等の部材連結装置において、楔８の上端面８ｃは、その前端から後端にかけて下り傾斜となる傾斜面に形成してなることを特徴とする。
【０００７】
請求項３は、請求項１又は２に記載の足場等の部材連結装置において、接続シュー１５は、先端部から基端部にわたって円管状横ステー１３の外径とほぼ同じ外径となるように形成すると共に、この接続シュー１５の基端部には円管状横ステー１３の端部に内嵌可能な径小軸部１５ａを形成し、この径小軸部１５ａと接続シュー本体部１５ｏ外周面との間に、横ステー１３の端面２０ａの内周側端部に係止する係止段部２１と、接続シュー１５を横ステー１３に溶接するための溶接開先用の斜面部又は円弧面部２２とを形成してなることを特徴とする。
【発明の効果】
【０００８】
上記解決手段による発明の効果を、後述する実施形態の参照符号を付して説明すると、請求項１に係る発明によれば、楔８は、接続シュー１５及びフランジ１２の係合孔１６，１７に挿入した状態で支柱本体１１に近接して支柱本体１１の長さ方向と平行に延びる前側端面６と、これと反対側に位置する後側端面７とを有し、接続シュー１５内に没入する楔部分８ａの後側端面部７ａは、上部側が下部側よりも前後幅の広い勾配面部Ａを形成し、接続シュー１５の上面から突出する楔部分８ｂの後側端面部７ｂは、この後側端面部７ｂを勾配面部Ａに対し段落状に削り取ることによって、できるだけ支柱本体１１に接近した平行面部Ｂを形成することから、この部材連結装置によって組み立てられた枠組足場において、両側の支柱１０，１０間に位置する横ステー１３と、これと対向する側に位置する横ステー１３とにわたって足場板を掛け渡す場合に、足場板の係止フック１９は、横ステー１３端部の接続シュー１５上で、この接続シュー１５の上面から突出する楔部分８ｂの後側端面部７ｂ、即ちできる限り支柱本体１１に接近した平行面部Ｂに接するように配置できて、足場板の係止フック１９をできるだけ支柱１１側に寄せることができ、もって足場板の桁側端部と支柱１１側との間隔をできるだけ狭くすることができる。
【０００９】
請求項２に係る発明によれば、楔８の上端面８ｃを前端から後端にかけて下り傾斜となる傾斜面に形成しているから、水平面よりも傾斜面にした方が面積が広くなり、また下り傾斜面になって、楔８をハンマーで叩き込む際に叩き易くなる。
【００１０】
請求項３に係る発明によれば、接続シュー１５を横ステー１３端部に取り付ける際に、接続シュー１５の後端径小軸部１５ａを円管状横ステー１３の端部に嵌合して、接続シュー１５の係止段部２１を円管状ステー本体端面２０ａの内周側端部に係止した状態で、接続シュー１５の円弧面部２２とステー本体端面２０ａとの間に形成される溶接開先に沿って溶接を行なうことにより、接続シュー１５を横ステー１３の端部に対し迅速且つ的確に溶接することができて、接続シュー１５を横ステー１３に強固に連結できる。
【発明を実施するための最良の形態】
【００１１】
以下に本発明の好適な実施形態を図面にもとづいて説明すると、図１の(a) は本発明に係る部材連結装置の側面図、(b) は平面図、(c) は(a) のＸ−Ｘ線断面図であり、図２の(a) は楔の拡大正面図、(b) は側面図である。この部材連結装置は、支柱１０の支柱本体１１に係合孔１６付きフランジ１２を固着し、横ステー１３の両端部に側面視略コ字状の係合孔１７付き接続シュー１５を固着しておいて、横ステー１３の接続シュー１５を支柱本体１１のフランジ１２に跨嵌し、フランジ１２の係合孔１６と接続シュー１５の係合孔１７とにわたって楔８を挿入することにより、支柱１０と横ステー１３とを連結するようにしたものである。
【００１２】
支柱１０は、鋼管製の円管状支柱本体１１に複数のフランジ１２を９０度間隔おきに溶接によって固着したものからなり、横ステー１３は、支柱本体１１より径小の円管状ステー本体２０の両端に側面視略コ字状の接続シュー１５を溶接によって固着してなるものであって、予め所要間隔をおいて鉛直に立設した多数本の支柱１０…と、水平方向に架設される多数本の横ステー１３…とを楔８を介して連結することにより、必要な強度、構造、大きさを有する仮設足場等の構造物を組み立てる。
【００１３】
支柱１０の各フランジ１２は、各角部１２ａをアール状とした略正方形の外形で中央に円孔２１を有する鋼板によって構成され、円孔２１に支柱本体１１を挿通して、その挿通部の周囲を溶接することによって、支柱本体１１に水平状態に固着される。またフランジ１２には、円孔２１より各角部１２ａに向かう放射状に配置する切欠により、円孔２１の半径方向に長い略長方形の４個の係合孔１６が形成されている。
【００１４】
楔８は、図１の(a) ，(b) 及び図２の(a) から分かるように、フランジ１２の係合孔１６及び接続シュー１５の係合孔１７に挿入した使用状態で支柱本体１１に近接して支柱本体１１の長さ方向と平行に延びる前側端面６と、この前側端面６と反対側に位置する後側端面７とを有し、しかして接続シュー１５内に没入する楔部分８ａの後側端面部７ａは、その上部側が下部側よりも前後幅の広い勾配面部Ａを形成し、接続シュー１５の上面から突出する楔部分８ｂの後側端面部７ｂは、この後側端面部７ｂを勾配面部Ａに対し段落状に削り取ることによって、できる限り支柱本体１１に接近した平行面部Ｂを形成したものである。
【００１５】
また楔８の上端面８ｃは、図１の(a) 及び図２の(a) に示すように、その前端から後端にかけて下り傾斜となる傾斜面に形成されている。このように楔８の上端面８ｃを前端から後端にかけて下り傾斜となる傾斜面に形成したのは、水平面よりも傾斜面にした方が面積が広くなり、また下り傾斜面となることによって、楔８の使用時に楔８をハンマーで叩き込む際に叩き易くなるからである。
【００１６】
また図１の(a) 及び図２の(a) に示すように、楔８には、上端部に前方へ突出する抜け止め突片２３、下端部の左側面に円形の抜け止め突起２４、後縁下部に弧状の凹陥部２５が夫々形成されているしかして、この楔８は、接続シュー１５の製作時に、予め接続シュー１５の係合孔１７となる位置に嵌め合わせておくことにより、当該上部側の係合孔１７に抜出不能且つ上下移動可能に保持されるようになっている。
【００１７】
接続シュー１５は、前端部から基端部にわたって円管状横ステー１３の外径とほぼ同じ外径となるように形成されると共に、支柱１０のフランジ１２を嵌入させる水平開口部１４を有するように側面視略コ字状に形成されている。
【００１８】
また、図３に示すように、接続シュー１５の基端部には、円管状横ステー１３の端部に内嵌可能な径小軸部１５ａが同軸一体に形成され、この径小軸部１５ａと接続シュー本体部１５ｏの外周面との間に、横ステー１３の円管状ステー本体２０の端面２０ａの内周側端部に係止する係止段部２１と、接続シュー１５を横ステー１３に溶接するための溶接開先用の円弧面部２２とが形成されていて、接続シュー１５を横ステー１３の端部に取り付ける際に、接続シュー１５の後端径小軸部１５ａを円管状横ステー１３の端部に嵌合して、接続シュー１５の係止段部２１を円管状ステー本体端面２０ａの内周側端部に係止した状態で、接続シュー１５の円弧面部２２とステー本体端面２０ａとの間に形成される溶接開先に沿って溶接を行なうことにより、接続シュー１５を横ステー１３の端部に対し迅速且つ的確に溶接部分が外部にはみ出ることなく溶接することができて、接続シュー１５を横ステー１３に強固に連結できる。この溶接部を図１及び図３の(a) 〜(c) にＷで示す。上記溶接開先用の円弧面部２２は、斜面部としてもよい。
【００１９】
上記構成の部材連結装置により仮設足場等の構造物を組み立てる際は、横ステー１３を水平に保持し、その両側の楔８，８を接続シュー１５の水平開口部１４より上方へ引出して、この水平に保持した横ステー１３を、鉛直に立設された支柱１０のフランジ１２に跨嵌させ、そして楔８を接続シュー１５の係合孔１７とフランジ１２の係合孔１６とにわたるように挿入して、楔８の上端面８ｃをハンマー等で叩けば、接続シュー１５が支柱１０側へ引き付けられて、その前面が支柱本体１１の側面に強く圧接し、それによって図１の(a) ，(b) に示すように、支柱１０と横ステー１３とが強固に連結される。
【００２０】
上記のような部材連結装置によって組み立てられた枠組足場において、両側の支柱１０，１０間に位置する横ステー１３と、これと対向する側に位置する横ステー１３とにわたって足場板を掛け渡す場合、足場板の両端部に突設された係止フック１９は、図１の(a) ，(b) の仮想線で示すように、横ステー１３端部の接続シュー１５上において、この接続シュー１５の上面から突出する楔部分８ｂの後側端面部７ｂ、即ちできるだけ支柱本体１１に接近した平行面部Ｂに接するように配置できるため、足場板の係止フック１９をできるだけ支柱１１側に寄せることができて、足場板の桁側端部と支柱１１側との間隔をできるだけ狭くすることができ、それによって足場作業上の安全を図ることができる。
【図面の簡単な説明】
【００２１】
【図１】(a) は本発明に係る部材連結装置の側面図、(b) は平面図、(c) は(a) のＸ−Ｘ線断面図である。
【図２】(a) は楔の拡大正面図、(b) は側面図である。
【図３】横ステーの端部に固着された接続シューの一部断面拡大側面図である。
【図４】従来の部材連結装置の側面図である。
【符号の説明】
【００２２】
６            楔の前側端面
７            楔の後側端面
７ａ          接続シュー内に没入する楔部分の後側端面部
７ｂ          接続シューの上面から突出する楔部分の後側端面部
８            楔
８ａ          接続シュー内に没入する楔部分
８ｂ          接続シューの上面から突出する楔部分
１０          支柱
１１          支柱本体
１２          フランジ
１３          横ステー
１５          接続シュー
１６          フランジの係合孔
１７          接続シューの係合孔
【図１】
2008169579.tif 000003
【図２】
2008169579.tif 000004
【図３】
2008169579.tif 000005
【図４】
2008169579.tif 000006